(57)【要約】【課題】取り付け部品として考えた場合に取り付けが容易であって、かつ、コンパクト化に資するライトを提供する。【解決手段】発電機と、充電器と、光源（ＬＥＤ１０）と、発電機，充電器及び光源（ＬＥＤ１０）を固定する筐体（上カバー１１及び下カバー１２）と、を有し、ハンドル１４を備えるライト１において、ハンドル１４には、任意の物体に形成された突起に係合する係合穴１４ｂが形成されているとともに、ハンドル１４と筐体とは、縦軸状のヒンジ部１５によって折り曲げ可能に構成されている。【選択図】図１
0003131113.tif 000002
【実用新案登録請求の範囲】
【請求項１】
回転子が回転することによって発電を行う発電機と、
前記発電機において発電された電流を充電する充電器と、
前記充電器から放電される電流によって、前記回転子の回転軸の方向と略直交する方向に点灯する光源と、
前記発電機，前記充電器及び前記光源を固定する筐体と、を有し、前記回転子に連結されるハンドルを備えるライトにおいて、
前記ハンドルには、任意の物体に形成された突起に係合する係合穴が形成されているとともに、
前記ハンドルと前記筐体とは、縦軸状のヒンジ部によって折り曲げ可能に構成されていることを特徴とするライト。
【請求項２】
前記筐体には、前記ハンドルのグリップ部分が埋め込まれる凹部が形成されていることを特徴とする請求項１記載のライト。
【請求項３】
前記係合穴は、略ひょうたん形となるように形成されていることを特徴とする請求項１又は２記載のライト。
【請求項４】
前記筐体には、任意の物体に形成された他の突起が挿入され、前記光源の光軸方向が深さ方向となる挿入穴が設けられていることを特徴とする請求項１から３のいずれか記載のライト。
【考案の詳細な説明】
【技術分野】
【０００１】
本考案は、携帯用のライトに関するものであって、特に、使い勝手を向上させたライトに関する。
【背景技術】
【０００２】
従来から、屋外で携帯用として用いるライトとして、電池式のライトがある。この電池式のライトでは、乾電池が組み込まれており、スイッチのＯＮ・ＯＦＦによりＬＥＤ等の光源が点灯する。しかし、電池が切れてしまうと使用できなくなることから、例えば炭鉱などで長時間ライトを使用する場合や、大地震に備えて長期間未使用状態が続く場合などには、このような電池式のライトは好ましくない。
【０００３】
そこで、手動による発電機や充電器などを備えた充電ライトが存在する（例えば特許文献１参照）。特許文献１に開示されたライトは、発電機，充電器，ＬＥＤ等から構成されている。そして、ハンドルを手動で回転させ、発電機の回転子を回転させることによって、充電器に電気を充電することができるようになっている。これにより、充電器の電気が放電した場合であっても、必要に応じてハンドルを回転させれば、ＬＥＤを点灯させることができる。
【０００４】
しかし、近年、ライト全体のコンパクト化（コンパクト収納）が要請されていることに鑑みれば、特許文献１に開示されたライトは、この要請を満たしているとはいい難い。具体的には、ハンドルの回転軸の軸方向とＬＥＤの照射方向とが同じであることから、ライトを箱などに収納する際、どうしてもライト全長が長くなってしまう。このような要請から、ハンドルの回転軸の軸方向とＬＥＤの照射方向とを直交させた充電ライトが存在する（例えば特許文献２参照）。特許文献２に開示された充電ライトは、ハンドルの回転軸の軸方向とＬＥＤの照射方向とが直交することから、ライト全長は、特許文献１のライトと比べて短くなっている。
【０００５】
従って、特許文献２に開示された充電ライトによれば、電池を必要とせず、必要に応じてＬＥＤを点灯させることができ、加えてコンパクト収納をも実現することができる。
【０００６】
【特許文献１】特開２０００−９０７０４号公報（図１）
【特許文献２】特開２００３−２５７２０１号公報（図１）
【考案の開示】
【考案が解決しようとする課題】
【０００７】
しかしながら、特許文献２に開示された充電ライトは、手で持って使用することを想定しており、例えばヘルメットや自転車など、何かに取り付けて使用することまでは想定していない。すなわち、この充電ライトを１つの取り付け部品と考えた場合には、取り付けられる本体の方で、充電ライトを挟み込む担持部などの複雑な構造が必要となる。
【０００８】
また、特許文献２に開示された充電ライトは、特許文献１に開示されたライトよりコンパクト収納を実現するとはいえ、常時、ハンドルのグリップ部分が飛び出した状態になっていることから、コンパクト化に関して改善の余地がある。
【０００９】
本考案は、このような点に鑑みてなされたものであり、その目的は、取り付け部品として考えた場合に取り付けが容易であって、かつ、コンパクト化に資するライトを提供することにある。
【課題を解決するための手段】
【００１０】
以上のような課題を解決するために、本考案は、以下のものを提供する。
【００１１】
（１）  回転子が回転することによって発電を行う発電機と、前記発電機において発電された電流を充電する充電器と、前記充電器から放電される電流によって、前記回転子の回転軸の方向と略直交する方向に点灯する光源と、前記発電機，前記充電器及び前記光源を固定する筐体と、を有し、前記回転子に連結されるハンドルを備えるライトにおいて、前記ハンドルには、任意の物体に形成された突起に係合する係合穴が形成されているとともに、前記ハンドルと前記筐体とは、縦軸状のヒンジ部によって折り曲げ可能に構成されていることを特徴とするライト。
【００１２】
本考案によれば、発電機と、充電器と、光源と、筐体と、を有し、発電機の回転子に連結されるハンドルを備えるライトにおいて、ハンドルには、任意の物体に形成された突起に係合する係合穴が形成されているとともに、ハンドルと筐体とは、縦軸状のヒンジ部によって折り曲げ可能に構成されていることとしたので、使い勝手を向上させることができる。
【００１３】
すなわち、本考案に係るライトを、任意の物体に取り付ける取り付け部品として考えた場合、その任意の物体に突起がありさえすれば、ハンドルに形成された係合穴にその突起を嵌め込むだけで取り付けが完了する。従って、取り付けが容易となり、ひいては使い勝手を向上させることができる。また、ライト未使用時（例えば箱に収納する等）には、ヒンジ部を介してハンドルを折り曲げることで、ハンドルのグリップ部分が飛び出さないようにすることができるので、コンパクト化に資することができる。
【００１４】
（２）  前記筐体には、前記ハンドルのグリップ部分が埋め込まれる凹部が形成されていることを特徴とするライト。
【００１５】
本考案によれば、上述した筐体には、ハンドルのグリップ部分が埋め込まれる凹部が形成されていることとしたので、ヒンジ部を介してハンドルを折り曲げたとき、ハンドルのグリップ部分を（一部又は全部）凹部に埋め込ませることができ、ひいては更なるコンパクト化を実現することができる。
【００１６】
（３）  前記係合穴は、略ひょうたん形となるように形成されていることを特徴とするライト。
【００１７】
本考案によれば、上述した係合穴は、凡そひょうたん形となるように形成されていることとしたので、任意の物体にライトを取り付ける際、ライトを光源の光軸方向にスライドさせて固定することができ、ひいては任意の物体に取り付けたときの安定性を向上させることができる（ライトのぐらつきを防ぐことができる）。
【００１８】
（４）  前記筐体には、任意の物体に形成された他の突起が挿入され、前記光源の光軸方向が深さ方向となる挿入穴が設けられていることを特徴とするライト。
【００１９】
本考案によれば、上述した筐体には、任意の物体に形成された他の突起が挿入され、光源の光軸方向が深さ方向となる挿入穴が設けられていることとしたので、その他の突起を挿入穴に挿入することによって、任意の物体に取り付けたときの安定性を更に向上させることができる（ヒンジ部を介してハンドルが折れ曲がらないようにすることで、ライトがぐらつくのを防ぐことができる）。
【考案の効果】
【００２０】
以上説明したように、本考案は、ライトを取り付け部品として考えた場合に取り付け容易であって、また、ライト全体をコンパクトに収納することができるので、使い勝手を向上させることができる。
【考案を実施するための最良の形態】
【００２１】
以下、本考案を実施するための最良の形態について、図面に基づいて説明する。
【００２２】
図１は、本考案の実施の形態に係るライト１の外観を示す斜視図である。また、図２は、図１に示すライト１の平面図であって、図３は、図１に示すライト１の側面図であって、図４は、図１に示すライト１の正面図であって、図５は、図１に示すライト１の底面図である。なお、本実施形態に係るライト１は、回転子が回転することによって発電を行う発電機と、発電機において発電された電流を充電する充電器と、をその内部に有しているが、説明の便宜上、これら発電機及び充電器の図示は省略する。
【００２３】
図１〜図５において、本実施形態に係るライト１は、ＬＥＤ１０と、上カバー１１と、下カバー１２と、スイッチ１３と、ハンドル１４と、を有している。ＬＥＤ１０は、充電器から放電される電流によって点灯する光源であって、発電機における回転子の回転軸の方向（図３でいえば上下方向）と凡そ直交する方向（図３でいえば右方向）に光を照射する。なお、本実施形態では、光源の一例としてＬＥＤを用いているが、その他の光源を用いても構わない。また、ＬＥＤ１０の手前には、防護カバーが設けられ、塵や誇りがＬＥＤ１０の表面に付着して光量が低下するのを防いでいる。
【００２４】
上カバー１１と下カバー１２は、ネジ止め等によって固着されており、発電機，充電器及びＬＥＤ１０を固定する筐体の一例として機能している。この筐体のうちの上カバー１１には、ＬＥＤ１０のＯＮ・ＯＦＦを制御するスイッチ１３が設けられており、このスイッチ１３を押下することによってＬＥＤ１０を点灯させることができる。
【００２５】
一方、筐体のうちの下カバー１２には、図３及び図５に示すように、ヒンジ部１５を介してハンドル１４が取り付けられている。ヒンジ部１５は、ハンドル１４と下カバー１２とを折り曲げ可能に構成するためのものであって、縦軸状となっている。ハンドル１４のグリップ部分１４ａは、ライト１の充電を行う際に、人間が摘む部分であって、ハンドル１４の先端付近に回転可能に取り付けられている。
【００２６】
図６は、ライト１を充電する様子を説明するための説明図である。
【００２７】
図６に示すように、ライト１を充電する際には、ハンドル１４のグリップ部分１４ａを摘んで、所定方向（図６では時計回りの方向）にハンドル１４を回す。これにより、ライト１を充電することができる。
【００２８】
ここで、充電の仕組み（一例）について簡単に説明する。ライト１の筐体内には、発電機と充電器以外に、複数の歯車から構成されるギアボックスが設けられており、ハンドル１４の回転によって生じた機械エネルギーは、歯車を介して発電機の回転子に伝達される（もちろん、歯車を介することなく、ハンドル１４の回転軸と回転子とを直結しても構わない）。そして、発電機の回転子にはコイルが設けられ（ロータを構成する）、回転子の周囲には永久磁石が設けられ（ステータを構成する）、回転子が永久磁石の磁界中を回転することによって、コイルに誘導起電力（交流電流）が発生する。このようにして、ハンドル１４の回転によって生じた機械エネルギーは、電気エネルギーに変換される。発電機において発生した交流電流は、ダイオード等の電気要素を介して直流電流に変換され、充電器において充電される。なお、充電器の種類については、如何なるものであっても構わない。例えば、電界コンデンサ，フィルムコンデンサ，積層セラミックコンデンサなどが挙げられる。
【００２９】
ここで、本実施形態に係るライト１では、任意の物体に形成された突起に係合する係合穴１４ｂが、ハンドル１４に形成されている。具体的には、図１〜図５に示すように、ハンドル１４の先端付近に、凡そひょうたん形となるように係合穴１４ｂが形成されている。この係合穴１４ｂによって、後述する連結具２１（図１０参照）にライト１を容易に取り付けることができる。なお、ライト１を連結具２１に取り付ける様子の詳細については、後述する。また、係合穴１４ｂの形状については、その態様の如何を問わない。
【００３０】
また、本実施形態に係るライト１では、上述したように、ヒンジ部１５を介してハンドル１４と下カバー１２とを折り曲げることができるようになっている。図７は、下カバー１２に対してハンドル１４を折り曲げる様子を示す図である。図７（ａ）→図７（ｂ）→図７（ｃ）と示すように、所定方向（図７は時計回りの方向）にハンドル１４を回転させ、これを簡単に折り曲げることができる。そして、図７（ｃ）に示すように、ハンドル１４を下カバー１２に収納することができる。
【００３１】
図８は、ハンドル１４を下カバー１２に収納したときの様子を示す底面図であり、図９は、ハンドル１４を下カバー１２に収納したときの様子を示す背面図である。
【００３２】
図５，図８及び図９に示すように、ハンドル１４を下カバー１２に収納したとき、ハンドル１４のグリップ部分１４ａは、下カバー１２に形成された凹部１２ａ（図５参照）に埋め込まれるようになっている。これにより、ハンドル１４のグリップ部分１４ａは、外部に向かって飛び出さない状態で収納されることになる。
【００３３】
また、図９に示すように、凹部１２は、２個のリブ１２ｂが形成されており、これらのリブ１２ｂによって挿入穴１２ｃが形成されている。挿入穴１２ｃは、任意の物体に形成された他の突起が挿入される穴であって、その深さ方向がＬＥＤ１０の光軸方向となっている。本実施形態では、ここでいう任意の物体として、図１０に示す連結部材を例にとって説明する。
【００３４】
図１０は、ライト１を取り付けるための連結部材２１の外観を示す斜視図である。
【００３５】
図１０において、連結部材２１には、上述した係合穴１４ｂと係合する突起として第１突起部２１ａと、上述した挿入穴１２ｃに挿入される突起として第２突起部２１ｂが形成されている。なお、連結部材２１には、バンド２２が取り付けられている。
【００３６】
図１１は、ライト１を連結部材２１に取り付ける様子を説明するための説明図である。
【００３７】
まず、図１１（ａ）に示すように、ライト１１を図中の矢印の方向に移動させて、第１突起部２１ａを係合穴１４ｂ（図８参照）に挿入する。次に、図１１（ｂ）に示すように、ライト１１を図中の矢印の方向に移動させて、第２突起部２１ｂを挿入穴１２ｃ（図９参照）に挿入する。その結果、図１１（ｃ）に示すように取り付けが完了する。
【００３８】
このとき、ひょうたん形をした係合穴１４ｂでは、第１突起部２１ａが面積の広い部分から狭い部分へと移動し（図８でいえば、第１突起部２１ａが、係合穴１４ｂのうち左から右へと移動し）、第１突起部２１ａと係合穴１４ｂが係合する。それと同時に、凹部１２ａ（図５参照）の内部に形成されたリブ１２ｂ（図９参照）によって、ライト１は第２突起部２１ｂに固定される。これにより、下カバー１２がハンドル１４から離れてしまう（図１１（ｃ）でいえば、ライト１の下カバー１２が右回りに回転して、下カバー１２がハンドル１４から離れてしまう）のを防ぐことができ、ひいてはライト１を連結部材２１により確実に固定することができる。
【００３９】
図１２は、連結部材２１及びバンド２２を介して、ライト１をヘルメット３０に取り付けたときの様子を示す図である。例えば炭鉱などで長時間ライトを使用する場合、作業者はヘルメット３０をかぶり、スイッチ１３を押してＬＥＤ１０を点灯させる。その後、電力不足によりＬＥＤ１０が消灯してしまったら、作業者はヘルメット３０を脱ぎ、ライト１を連結部材２１から取り外し、ハンドル１４を回して充電を行う。充電が完了したら、再びライト１を連結部材２１に取り付けて（図１１参照）、作業を再開する。
【００４０】
このように、本実施形態に係るライト１は、取り付け・取り外しが容易であることから、ライト使用−充電−ライト使用のサイクルを簡便に行うことができる。従って、使い勝手がよいものとなる。
【００４１】
以上説明したように、本実施形態に係るライト１によれば、連結部材２１に第１突起部２１ａがありさえすれば、ハンドル１４に形成された係合穴１４ｂに第１突起部２１ａを嵌め込むだけで取り付けが完了する。しかも、上述したように、ハンドル１４に形成された挿入穴１２ｃに、連結部材２１の第２突起部２１ｂを挿入することで、ライト１がぐらつくのを防ぐことができる。このように、取り付け容易で、かつ、任意の物体（例えば連結部材２１）にしっかりと固定することができるので、使い勝手を向上させることができる。
【００４２】
また、ライト未使用時（例えば箱に収納する等）、或いは、ライト使用時（ヘルメット３０に取り付ける等）には、ヒンジ部１５を介してハンドル１４を折り曲げて、ハンドル１４のグリップ部分１４ａを凹部１２ａに収納する（埋め込む）ことによって、ハンドル１４のグリップ部分１４ａが飛び出さないようにすることができるので（図７参照）、コンパクト化に資することができる。
【００４３】
さらに、本実施形態では、係合穴１４ｂはひょうたん形をしているので、ライト１を連結部材２１に取り付けたときに、しっかりと固定することができ、ひいてはライトのぐらつきを防止することができる。
【００４４】
なお、本実施形態では、ライト１をヘルメット３０に取り付ける例を示したが、その他、例えば自転車やバイクのヘッドライトとして用いたり、倉庫の監視用ライトとして用いたりしてもよい。
【産業上の利用可能性】
【００４５】
本考案に係るライトは、任意の物体に取り付けが容易であって、使い勝手を向上させることが可能なものとして有用である。
【図面の簡単な説明】
【００４６】
【図１】本考案の実施の形態に係るライトの外観を示す斜視図である。
【図２】図１に示すライトの平面図である。
【図３】図１に示すライトの側面図である。
【図４】図１に示すライトの正面図である。
【図５】図１に示すライトの底面図である。
【図６】ライトを充電する様子を説明するための説明図である。
【図７】下カバーに対してハンドルを折り曲げる様子を示す図である。
【図８】ハンドルを下カバーに収納したときの様子を示す底面図である。
【図９】ハンドルを下カバーに収納したときの様子を示す背面図である。
【図１０】ライトを取り付けるための連結部材の外観を示す斜視図である。
【図１１】ライトを連結部材に取り付ける様子を説明するための説明図である。
【図１２】連結部材及びバンドを介して、ライトをヘルメットに取り付けたときの様子を示す図である。
【符号の説明】
【００４７】
１  ライト
１０  ＬＥＤ
１１  上カバー
１２  下カバー
１２ａ  凹部
１２ｂ  リブ
１２ｃ  挿入穴
１３  スイッチ
１４  ハンドル
１４ａ  グリップ部分
１４ｂ  係合穴
１５  ヒンジ部
２１  連結部材
２１ａ  第１突起部
２１ｂ  第２突起部
３０  ヘルメット
【図１】
0003131113.tif 000003
【図２】
0003131113.tif 000004
【図３】
0003131113.tif 000005
【図４】
0003131113.tif 000006
【図５】
0003131113.tif 000007
【図６】
0003131113.tif 000008
【図７】
0003131113.tif 000009
【図８】
0003131113.tif 000010
【図９】
0003131113.tif 000011
【図１０】
0003131113.tif 000012
【図１１】
0003131113.tif 000013
【図１２】
0003131113.tif 000014